(57)【要約】【課題】トランク扉の開閉動作を安全・確実に行う。【解決手段】トランク室付エレベータは、トランク扉１４に設置される電気錠４０と、電気錠４０の解錠・施錠制御を行う制御装置４５と、かご室内に設けられ、制御装置４５に対して電気錠４０を解錠・施錠するための制御信号を出力可能なかご室内制御ボタン４２と、かご室内と通話可能な監視センター内に設けられ、制御装置４５に対して電気錠４０を解錠・施錠するための制御信号を出力可能な監視センター内制御ボタン４８と、を有している。そして、制御装置４５は、かご室内制御ボタン４２と監視センター内制御ボタン４８の２つのボタンから同時に電気錠４０を解錠・施錠するための制御信号を受信したとき、かかる制御信号に基づいて電気錠４０の解錠・施錠を行う。【選択図】図１
2005320135.tif 000002
【特許請求の範囲】
【請求項１】
乗降口を有するエレベータのかご室と、
前記乗降口と対向するかご室壁面の奥部に設けられるかご室拡張用のトランク室と、
前記かご室と前記トランク室とを仕切るとともに開閉自在に設置されるトランク扉と、
を有するトランク室付エレベータにおいて、
前記トランク扉に設置される電気錠と、
前記電気錠の解錠・施錠制御を行う制御装置と、
前記かご室内に設けられ、前記制御装置に対して前記電気錠を解錠・施錠するための制御信号を出力可能なかご室内制御ボタンと、
前記かご室内と通話可能な監視センター内に設けられ、前記制御装置に対して前記電気錠を解錠・施錠するための制御信号を出力可能な監視センター内制御ボタンと、
を備え、
前記制御装置は、前記かご室内制御ボタンと前記監視センター内制御ボタンの２つのボタンから同時に前記電気錠を解錠・施錠するための制御信号を受信したとき、かかる制御信号に基づいて前記電気錠の解錠・施錠を行うことを特徴とするトランク室付エレベータ。
【請求項２】
請求項１に記載のトランク室付エレベータにおいて、
前記制御装置が前記電気錠の解錠・施錠を行うとき、前記トランク扉の開放・閉鎖を行うことを特徴とするトランク室付エレベータ。
【請求項３】
乗降口を有するエレベータのかご室と、
前記乗降口と対向するかご室壁面の奥部に設けられるかご室拡張用のトランク室と、
前記かご室と前記トランク室とを仕切るとともに開閉自在に設置されるトランク扉と、
前記トランク扉に設置される電気錠と、
を有するトランク室付エレベータの前記電気錠の解錠・施錠制御を行う制御装置であって、
前記かご室内に設けられ、前記制御装置に対して前記電気錠を解錠・施錠するための制御信号を出力可能なかご室内制御ボタンと、
前記かご室内と通話可能な監視センター内に設けられ、前記制御装置に対して前記電気錠を解錠・施錠するための制御信号を出力可能な監視センター内制御ボタンと、
からの制御信号を、２つのボタンから同時に受信したとき、かかる制御信号に基づいて前記電気錠の解錠・施錠を行うことを特徴とするトランク室付エレベータの制御装置。
【請求項４】
請求項３に記載のトランク室付エレベータの制御装置において、
前記電気錠の解錠・施錠を行うとき、前記トランク扉の開放・閉鎖を行うことを特徴とするトランク室付エレベータの制御装置。
【発明の詳細な説明】
【技術分野】
【０００１】
本発明は、トランク室付エレベータ、トランク室付エレベータの制御装置に係り、特に、トランク室に設置されるトランク扉の開閉動作を安全・確実に行うことができる技術に関するものである。
【背景技術】
【０００２】
従来から、かご室に併設されたトランク室を有するトランク室付エレベータが知られている。このタイプのエレベータは、例えば、集合住宅や病院等に設置されるものであり、担架、棺桶、自転車等の大きな荷物を載せて昇降するために利用されている（例えば、下記特許文献１参照）。
【０００３】
従来のトランク室付エレベータについて、図面を用いて説明する。図３は、従来のトランク室付エレベータの全体構成を示す概要図である。また、図４は、従来のトランク室付エレベータが有するかご室１０の説明図である。
【０００４】
図３および図４において示す従来のトランク室付エレベータのかご室１０には、かご扉１１と対向するかご室壁面１２の奥部にトランク室１３が設けられ、さらに、かご室１０とトランク室１３とを仕切る１枚のトランク扉１４が設けられている。
【０００５】
トランク扉１４は、左右両側部がレールや案内溝等により上下に移動するように移動方向が拘束された昇降式の扉であり、かご室上に設置される扉開閉装置１５によって駆動可能となっている。また、かご室内には、扉開閉装置１５に対して制御信号を送信してトランク扉１４の開閉動作を指示することが可能なトランク扉操作盤３０が設置されており、このトランク扉操作盤３０を操作することによって、トランク扉１４の開閉操作を行うことが可能となっている。
【０００６】
かご室上に設置される扉開閉装置１５は、例えば、てこ・リンク機構や櫓台１６上に載せられたモータ等を組み合わせて構成することが可能である。この扉開閉装置１５は、トランク扉操作盤３０のボタン操作に基づいて開閉制御信号を出力する制御装置１７によって制御可能となっている。なお、かご室上にはさらに、昇降移動中のトランク扉１４の現在位置に基づいて警報（アラーム）を発声するための音声装置１８が配置されている。
【０００７】
ここで、トランク扉操作盤３０には、図５に示すように、トランク扉１４の開閉操作を図示しない監視センターからの遠隔操作によって行うか（遠隔操作モード）、あるいは、トランク扉操作盤３０に配置したボタンによる手元操作によって行うか（手元操作モード）を切り換える切換スイッチ３１と、トランク扉１４を手元操作モードで開閉可能な場合に点灯する手元操作灯３２と、トランク扉１４を監視センターからの遠隔操作モードで開閉可能な場合に点灯する遠隔操作灯３３と、手元操作モードにおいてトランク扉１４を開けるための開押ボタン３４と、手元操作モードにおいてトランク扉１４を閉めるための閉押ボタン３５と、監視センター内の担当者と通話を行うためのインターホン３６の通話ボタン３７とが設けられている。
【０００８】
以上のように構成された従来のトランク室付エレベータの動作を説明すると以下のようになる。すなわち、かご室１０が所望の階の乗場４で停止すると乗場扉４ａ及びかご扉１１を開放し、かご室１０は戸開した状態で待機する。
【０００９】
トランク扉操作盤３０の切換スイッチ３１がトランク扉操作盤３０からの手元操作モードとなっている場合には、手元操作灯３２が点灯し、トランク扉１４はトランク扉操作盤３０からのボタン操作によってのみ開閉させることができる。
【００１０】
このとき、担架２２をかご室内に運び込む作業者２０がトランク扉操作盤３０の開押ボタン３４を操作すると、音声装置１８が扉開閉の注意を促す警報（アラーム）を発声するとともに、制御装置１７が出力する開制御信号に基づいて扉開閉装置１５はトランク扉１４を上昇させ、トランク室１３とかご室１０との仕切りがなくなる。なお、悪戯防止を図るために、トランク扉操作盤３０に暗唱番号を入力するためのテンキーを設け、予め登録された暗唱番号とテンキーから入力された暗唱番号とが一致した場合にのみトランク扉操作盤３０のボタン操作を可能とすることが好適である。
【００１１】
一方、トランク扉操作盤３０の切換スイッチ３１が監視センターからの遠隔操作モードとなっている場合には、遠隔操作灯３３が点灯し、トランク扉１４は監視センターからのボタン操作によってのみ開閉させることができる。
【００１２】
この場合には、担架２２をかご室内に運び込む作業者２０がトランク扉操作盤３０のインターホン３６の通話ボタン３７を操作すると、電話回線を介して監視センター（又は管理室であってもよい）とインターホン３６による通話ができるので、作業者２０は監視センターの担当者にトランク扉１４の開放の催促を行うことができる。
【００１３】
トランク扉１４の開放指示を受けた監視センターの担当者がボタン操作を行うと、音声装置１８が扉開閉の注意を促す警報（アラーム）を発声し、扉開閉装置１５は制御装置１７が出力する開制御信号に基づいてトランク扉１４を上昇させ、トランク扉１４が開放される。
【００１４】
以上のように、トランク扉１４が上昇するとかご室１０の室内空間は拡がるので、作業者２０は急病人２１を乗せた担架２２を乗場４からかご室内に運び込むことが可能となる。
【００１５】
【特許文献１】特開平１０−１６７６３３号公報
【発明の開示】
【発明が解決しようとする課題】
【００１６】
上述した従来のトランク室付エレベータの場合、トランク扉１４は遠隔操作可能なため、インターホン３６での通話がうまくできないと不必要なときにトランク扉１４が開閉してしまうという恐れがある。また、手元操作モードの場合において、仮に、トランク扉操作盤３０に設定された暗唱番号が漏れてしまった場合には、悪戯操作を防止できないという不具合もある。
【００１７】
本発明は、以上のような問題を解決するために成されたものであり、トランク扉１４の開閉動作を安全・確実に行うことができる技術を提供することを目的とするものである。
【課題を解決するための手段】
【００１８】
本発明に係るトランク室付エレベータは、乗降口を有するエレベータのかご室と、前記乗降口と対向するかご室壁面の奥部に設けられるかご室拡張用のトランク室と、前記かご室と前記トランク室とを仕切るとともに開閉自在に設置されるトランク扉と、を有するものであって、前記トランク扉に設置される電気錠と、前記電気錠の解錠・施錠制御を行う制御装置と、前記かご室内に設けられ、前記制御装置に対して前記電気錠を解錠・施錠するための制御信号を出力可能なかご室内制御ボタンと、前記かご室内と通話可能な監視センター内に設けられ、前記制御装置に対して前記電気錠を解錠・施錠するための制御信号を出力可能な監視センター内制御ボタンと、を備え、前記制御装置は、前記かご室内制御ボタンと前記監視センター内制御ボタンの２つのボタンから同時に前記電気錠を解錠・施錠するための制御信号を受信したとき、かかる制御信号に基づいて前記電気錠の解錠・施錠を行うことを特徴とする。
【００１９】
また、本発明に係るトランク室付エレベータは、前記制御装置が前記電気錠の解錠・施錠を行うとき、前記トランク扉の開放・閉鎖を行うようにすることが好適である。
【００２０】
本発明に係るトランク室付エレベータの制御装置は、乗降口を有するエレベータのかご室と、前記乗降口と対向するかご室壁面の奥部に設けられるかご室拡張用のトランク室と、前記かご室と前記トランク室とを仕切るとともに開閉自在に設置されるトランク扉と、前記トランク扉に設置される電気錠と、を有するトランク室付エレベータの前記電気錠の解錠・施錠制御を行う制御装置であって、前記かご室内に設けられ、前記制御装置に対して前記電気錠を解錠・施錠するための制御信号を出力可能なかご室内制御ボタンと、前記かご室内と通話可能な監視センター内に設けられ、前記制御装置に対して前記電気錠を解錠・施錠するための制御信号を出力可能な監視センター内制御ボタンと、からの制御信号を、２つのボタンから同時に受信したとき、かかる制御信号に基づいて前記電気錠の解錠・施錠を行うことを特徴とする。
【００２１】
また、本発明に係るトランク室付エレベータの制御装置は、前記電気錠の解錠・施錠を行うとき、前記トランク扉の開放・閉鎖を行うようにすることが好適である。
【００２２】
なお上記発明の概要は、本発明の必要な特徴の全てを列挙したものではなく、これらの特徴群のサブコンビネーションもまた発明となり得る。
【発明の効果】
【００２３】
本発明によれば、トランク扉の開閉動作を安全・確実に行うことができる。
【発明を実施するための最良の形態】
【００２４】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。なお、背景技術で示した部材と同一又は類似の部材については、同一符号を付して説明を省略する。
【００２５】
図１は、本実施形態に係るトランク室付エレベータの全体構成を説明するための概略図である。本実施形態で特徴的なこととして、トランク扉１４に電気錠４０が設置されていることが挙げられる。以下、本実施形態に係るトランク室付エレベータの構成を具体的に説明する。
【００２６】
本実施形態に係るトランク室付エレベータは、トランク扉１４に設置される電気錠４０と、この電気錠４０の解錠・施錠制御を行うための制御装置４５とを有している。また、制御装置４５は、かご室内に設置されるかご室操作盤４１と監視センター（又は管理室であってもよい）に設置される遠隔操作盤４７とに接続しており、２つの操作盤４１，４７から受信する制御信号に基づいて動作するように構成されている。
【００２７】
かご室内に設置されるかご室操作盤４１には、かご室内制御ボタン４２と通話ボタン４３が設置されている。かご室内制御ボタン４２は、電気錠４０を解錠・施錠するための制御信号を制御装置４５に対して出力可能となっている。一方、通話ボタン４３は、監視センターとインターホン線で接続されており、監視センターの担当者と通話することができるようになっている。
【００２８】
監視センターに設置される遠隔操作盤４７には、監視センター内制御ボタン４８が設置されており、監視センターの担当者がこの監視センター内制御ボタン４８を押すことによって電気錠４０を解錠・施錠するための制御信号を制御装置４５に対して出力可能となっている。また、監視センターは、かご室１０とインターホン線で接続されているので、かご室内の乗員と通話を行うことによってかご室内の状況を知ることができる。
【００２９】
このような構成を有するトランク室付エレベータにおいて、制御装置４５は、かご室内制御ボタン４２と監視センター内制御ボタン４８の２つのボタンから同時に電気錠４０を解錠・施錠するための制御信号を受信したときにのみ、電気錠４０の解錠・施錠を行うように設定されている。つまり、本実施形態に係るトランク室付エレベータでは、かご室内からの手元操作と、監視センターからの遠隔操作が両方とも同時に実施された場合にのみ電気錠４０を解錠・施錠して、トランク扉１４の開放・閉鎖を行うようにしたのである。このようにすることによって、安全かつ確実な操作が可能となるのである。
【００３０】
また、従来のトランク室付エレベータでは、かご室側に暗証番号を知っている管理人が居ないために、急病人を担架で運ぶなどの緊急の対応がとれないという問題が発生する場合があるが、本実施形態に係るトランク室付エレベータによれば、かご室側の管理人が不在であっても、インターホンによって監視センターの担当者と連絡を取りながら、確実にトランク扉１４を開放・閉鎖することができる。
【００３１】
なお、トランク扉１４の開放・閉鎖動作については、制御装置４５が電気錠４０の解錠を行うと同時に、制御装置４５の指示に基づいて自動的に行うようにしても良いし、かご室１０の操作者が電気錠４０の解錠を確認した後、図示しない扉開閉装置１５（図３参照）に対して動作指示を与えるようにしても良い。
【００３２】
また、電気錠４０については、エレベータの使用環境に応じて通電時解錠型電気錠や通電時施錠型電気錠などの型式を選択することが可能である。
【００３３】
すなわち、通電時解錠型電気錠は、電気錠のソレノイド（電磁石駆動用コイル）に通電し続けている間だけ解錠することができ、電源が切れたり、断線したりしたときなど通電が切れると施錠となり扉を開けることができないので、防犯性を重視する場所等に用いることが好適である。一方、通電時施錠型電気錠は、電気錠のソレノイド（電磁石駆動用コイル）に通電し続けている間は施錠となり、通電を切ると解錠となるので、避難や消防活動を優先的に行う必要のある非常口などに用いることが好適である。
【００３４】
次に、図２を用いて、本実施形態に係るトランク室付エレベータの操作手順を説明する。なお、図２は、本実施形態に係るトランク室付エレベータの操作手順を示したフローチャートである。
【００３５】
まず、電気錠４０施錠状態でかご室１０が所望の階の乗場４で停止すると、乗場扉４ａ及びかご扉１１を開放し、かご室１０は戸開した状態で待機する（ステップＳ１０）。
【００３６】
かご室内の操作者が通話ボタン４３を操作して監視センターの担当者と連絡をとり、これからトランク扉１４の開放操作を行うことを伝える（ステップＳ１１）。
【００３７】
そして、監視センター内の担当者が監視センター内制御ボタン４８を押すとともに（ステップＳ１２）、かご室内の操作者がかご室内制御ボタン４２を押す（ステップＳ１３）。これら２つのボタン４２，４８が同時に押されることによって電気錠４０が解錠する（ステップＳ１４）。
【００３８】
トランク室１３の使用が終了し（ステップＳ１５）、トランク扉１４を閉鎖して電気錠４０を施錠する際にも、インターホンで連絡を取りながら監視センター内の担当者が監視センター内制御ボタン４８を押すとともに（ステップＳ１６）、かご室内の操作者がかご室内制御ボタン４２を押す（ステップＳ１７）。これら２つのボタン４２，４８が同時に押されることによって電気錠４０が施錠される（ステップＳ１０）。このような操作を繰り返すことによって、電気錠４０の解錠・施錠操作を安全・確実に行うことが可能となるのである。
【００３９】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【図面の簡単な説明】
【００４０】
【図１】本実施形態に係るトランク室付エレベータの全体構成を説明するための概略図である。
【図２】本実施形態に係るトランク室付エレベータの操作手順を示したフローチャートである。
【図３】従来のトランク室付エレベータの全体構成を示す概要図である。
【図４】従来のトランク室付エレベータが有するかご室の説明図である。
【図５】従来のトランク扉操作盤を例示する図である。
【符号の説明】
【００４１】
４  乗場、４ａ  乗場扉、１０  かご室、１１  かご扉、１２  かご室壁面、１３  トランク室、１４  トランク扉、１５  扉開閉装置、１６  櫓台、１７  制御装置、１８  音声装置、２０  作業者、２１  急病人、２２  担架、３０  トランク扉操作盤、３１  切換スイッチ、３２  手元操作灯、３３  遠隔操作灯、３４  開押ボタン、３５  閉押ボタン、３６  インターホン、３７  通話ボタン、４０  電気錠、４１  かご室操作盤、４２  かご室内制御ボタン、４３  通話ボタン、４５  制御装置、４７  遠隔操作盤、４８  監視センター内制御ボタン。
【図１】
2005320135.tif 000003
【図２】
2005320135.tif 000004
【図３】
2005320135.tif 000005
【図４】
2005320135.tif 000006
【図５】
2005320135.tif 000007